(57)【要約】【課題】伝送衝突を回避するために、ＵＬ−ＳＣＨ（アップリンク共用チャネル）伝送を処理する方法及び通信装置を提供する。【解決手段】方法は、ＵＬ−ＳＣＨ伝送を実行する段階と、メッセージ３の伝送と、ＵＥのＵＬ−ＨＡＲＱ（アップリンクハイブリッド自動リピート要求）バッファに本来保存されたＴＢ（トランスポートブロック）の再送が同じ時間に伝送されるようにスケジューリングされた場合に、メッセージ３の伝送を優先させる段階とを含む。【選択図】図６
2010103991.tif 000002
【特許請求の範囲】
【請求項１】
無線通信システムのＵＥ（ユーザー端末）においてＵＬ−ＳＣＨ（アップリンク共用チャネル）伝送を処理する方法であって、
ＵＬ−ＳＣＨ伝送を実行する段階と、
メッセージ３の伝送と、ＵＥのＵＬ−ＨＡＲＱ（アップリンクハイブリッド自動リピート要求）バッファに本来保存されたＴＢ（トランスポートブロック）の再送が同じ時間に伝送されるようにスケジューリングされた場合に、メッセージ３の伝送を優先させる段階とを含む、ＵＬ−ＳＣＨ伝送の処理方法。
【請求項２】
前記メッセージ３の伝送は初回伝送であり、前記方法は更に、前記ＵＬ−ＨＡＲＱバッファに本来保存されたＴＢを、前記ＵＥのメッセージ３バッファに保存されたＴＢと取り替える段階を含む、請求項１に記載のＵＬ−ＳＣＨ伝送の処理方法。
【請求項３】
前記メッセージ３の伝送は再送であり、前記方法は更に、前記ＴＢの再送をスキップする段階を含む、請求項１に記載のＵＬ−ＳＣＨ伝送の処理方法。
【請求項４】
前記方法は更に、前記ＵＬ−ＨＡＲＱバッファをクリアする段階を含む、請求項３に記載のＵＬ−ＳＣＨ伝送の処理方法。
【請求項５】
前記ＴＢの再送は適応再送または非適応再送である、請求項１に記載のＵＬ−ＳＣＨ伝送の処理方法。
【請求項６】
前記ＴＢの再送はＴＴＩ（送信時間間隔）バンドル内に含まれる、請求項１に記載のＵＬ−ＳＣＨ伝送の処理方法。
【請求項７】
前記メッセージ３はランダムアクセスプロセスによりトリガーされるＵＬ−ＳＣＨで伝送され、前記メッセージ３はＣ−ＲＮＴＩ−ＭＡＣ−ＣＥ（セル無線ネットワーク一時識別子ＭＡＣ制御要素）またはＣＣＣＨ−ＳＤＵ（共通制御チャネルサービスデータユニット）を含む、請求項１に記載のＵＬ−ＳＣＨ伝送の処理方法。
【請求項８】
前記ランダムアクセスプロセスは、アップリンクデータの到着によりＵＥでトリガーされる、請求項７に記載のＵＬ−ＳＣＨ伝送の処理方法。
【請求項９】
前記同じ時間とは同じＴＴＩ（送信時間間隔）をいう、請求項１に記載のＵＬ−ＳＣＨ伝送の処理方法。
【請求項１０】
無線通信システムのＵＥにおいてＵＬ−ＳＣＨ伝送を処理するための通信装置であって、
プログラムを実行するＣＰＵ（中央処理装置）と、
前記ＣＰＵに結合され、前記プログラムを記憶する記憶装置とを含み、前記プログラムは、
ＵＬ−ＳＣＨ伝送を実行する段階と、
メッセージ３の伝送と、ＵＥのＵＬ−ＨＡＲＱバッファに本来保存されたＴＢの再送が同じ時間に伝送されるようにスケジューリングされた場合に、メッセージ３の伝送を優先させる段階とを含む、通信装置。
【請求項１１】
前記メッセージ３の伝送は初回伝送であり、前記プログラムは更に、前記ＵＬ−ＨＡＲＱバッファに本来保存されたＴＢを、前記ＵＥのメッセージ３バッファに保存されたＴＢと取り替える段階を含む、請求項１０に記載の通信装置。
【請求項１２】
前記メッセージ３の伝送は再送であり、前記プログラムは更に、前記ＴＢの再送をスキップする段階を含む、請求項１０に記載の通信装置。
【請求項１３】
前記プログラムは更に、前記ＵＬ−ＨＡＲＱバッファをクリアする段階を含む、請求項１２に記載の通信装置。
【請求項１４】
前記ＴＢの再送は適応再送または非適応再送である、請求項１０に記載の通信装置。
【請求項１５】
前記ＴＢの再送はＴＴＩバンドル内に含まれる、請求項１０に記載の通信装置。
【請求項１６】
前記メッセージ３はランダムアクセスプロセスによりトリガーされるＵＬ−ＳＣＨで伝送され、前記メッセージ３はＣ−ＲＮＴＩ−ＭＡＣ−ＣＥまたはＣＣＣＨ−ＳＤＵを含む、請求項１０に記載の通信装置。
【請求項１７】
前記ランダムアクセスプロセスは、アップリンクデータの到着によりＵＥでトリガーされる、請求項１６に記載の通信装置。
【請求項１８】
前記同じ時間とは同じＴＴＩをいう、請求項１０に記載の通信装置。
【発明の詳細な説明】
【技術分野】
【０００１】
本発明はＵＬ−ＳＣＨ（アップリンク共用チャネル）の伝送を処理する方法及び通信装置に関し、特にメッセージ３の伝送と、ＵＥ（ユーザー端末）のＵＬ−ＨＡＲＱ（アップリンクハイブリッド自動リピート要求）バッファに前に保存されたＴＢ（トランスポートブロック）の再送が互いに衝突するのを回避するための、無線通信システムのＵＥ（ユーザー端末）においてＵＬ−ＳＣＨ伝送を処理する方法及び通信装置に関する。
【背景技術】
【０００２】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ（無線リンク制御）層とＭＡＣ（媒体アクセス制御）層は基地局（ノードＢ）とＲＮＣ（無線ネットワークコントローラ）に個別に設ける必要がなく、同一の通信ネットワークエンティティーに統合できるので、システム構造が比較的に簡単である。
【０００３】
現在のＬＴＥ無線通信システムでは、ＵＥ（ユーザー端末）は以下の状況でランダムアクセスプロセスを起動して基地局と接続をとる。（１）ＲＲＣ＿ＩＤＬＥ（無線リソース制御アイドリング）状態で初期接続を行う場合、（２）無線リンク障害（ＲＬＦ）の発生後に初期接続を行う場合、（３）ハンドオーバープロセスの実行時、（４）ＲＲＣ＿ＣＯＮＮＥＣＴＥＤ（無線リソース制御接続）状態でダウンリンクデータ伝送に対応して起動する、（５）ＲＲＣ＿ＣＯＮＮＥＣＴＥＤ状態でアップリンクデータ伝送に対応して起動する。ランダムアクセスプロセスは、ＵＥに用いられるランダムアクセスチャネル（ＲＡＣＨ）のリソースがネットワークにより割り当てられるものか、またはランダムに決められるものかによって、コンテンションベースと非コンテンションベースのものに分けることができる。
【０００４】
図１を参照する。図１は従来のコンテンションベースのランダムアクセスプロセスを表す説明図である。図１に示すように、コンテンションベースのランダムアクセスプロセスは主に以下のステップを含む。すなわち、（１）アップリンクＲＡＣＨにおけるランダムアクセスプリアンブル（Ｒａｎｄｏｍ  Ａｃｃｅｓｓ  Ｐｒｅａｍｂｌｅ  ｏｎ  ＲＡＣＨ  ｉｎ  ｕｐｌｉｎｋ）、（２）ダウンリンク共用チャネル（ＤＬ−ＳＣＨ）におけるランダムアクセス応答（Ｒａｎｄｏｍ  Ａｃｃｅｓｓ  Ｒｅｓｐｏｎｓｅ  ｏｎ  Ｄｏｗｎｌｉｎｋ  Ｓｈａｒｅ  Ｃｈａｎｎｅｌ）、（３）アップリンク共用チャネル（ＵＬ−ＳＣＨ）におけるスケジュール伝送（Ｓｃｈｅｄｕｌｅｄ  Ｔｒａｎｓｍｉｓｓｉｏｎ  ｏｎ  Ｕｐｌｉｎｋ  Ｓｈａｒｅ  Ｃｈａｎｎｅｌ）、（４）ＤＬ−ＳＣＨにおけるコンテンション解決（Ｃｏｎｔｅｎｔｉｏｎ  Ｒｅｓｏｌｕｔｉｏｎ  ｏｎ  ＤＬ−ＳＣＨ）、などのステップである。ＲＲＣ（無線リソース制御）層またはＭＡＣ（媒体アクセス制御）層のトリガーによりランダムアクセスプロセスが起動されると、ＵＥはランダムに選ばれたＲＡＣＨリソースでランダムアクセスプリアンブル（メッセージ１ともいう）を基地局に送信し、アップリンクグラント（ｕｐｌｉｎｋ  ｇｒａｎｔ）を求める。次にネットワークは、ランダムアクセスプリアンブルを送信したＵＥに対して、ランダムアクセス応答メッセージ（メッセージ２ともいう）を送信する。メッセージ２には、ＵＥに割り当てられるアップリンクグラントと一時Ｃ−ＲＮＴＩ（セル無線ネットワーク一時識別子）が含まれている。したがって、メッセージ１で同じランダムアクセスプリアンブルを選んだＵＥは、すべて同じメッセージ２をモニタリングして同じアップリンクグラントと一時Ｃ−ＲＮＴＩを取得し、同じアップリンクグラントでスケジューリング伝送メッセージ（メッセージ３ともいう）を基地局に送信するので、ＵＥの間にコンテンションが発生する。メッセージ３で運ばれる内容は、主としてアップリンク送信予定のデータとＵＥ  ＩＤ（ユーザー端末識別子）を含む。
【０００５】
メッセージ３で運ばれるＵＥ  ＩＤは、トリガーの状態によりＣ−ＲＮＴＩ−ＭＡＣ−ＣＥ（セル無線ネットワーク一時識別子媒体アクセス制御要素）とＣＣＣＨ−ＳＤＵ（共通制御チャネルサービスデータユニット）の２種類に分けられる。Ｃ−ＲＮＴＩ−ＭＡＣ−ＣＥはＵＥのＣ−ＲＮＴＩを含み、ＣＣＣＨ−ＳＤＵは上位層プロトコルにより提供されるＵＥコンテンション解決識別データを含む。したがって、基地局から特定のＵＥ  ＩＤを含むコンテンション解決メッセージ（メッセージ４ともいう）を出力すれば、ＵＥ間のコンテンションは解決される。注意すべきは、メッセージ４の処理方法は、メッセージ３で運ばれるＵＥ  ＩＤの種類によって異なる。ランダムアクセスプロセスの詳しい動作については関連のＭＡＣ（媒体アクセス制御）層プロトコル仕様を参照すればよく、ここでは説明を省略する。
【０００６】
一方、アップリンク伝送のカバー範囲を改善するために、先行技術ではＭＡＣ層にＴＴＩ（伝送時間間隔）バンドリング技術を導入している。ＴＴＩバンドリング技術とは、同じトランスポートブロック（ＴＢ）を連続したＴＴＩで繰り返して暗号化・送信することをいい、この連続したＴＴＩで行われる伝送はＴＴＩバンドルと呼ばれる。ＴＴＩバンドリング技術は、セル境界（ｃｅｌｌ  ｂｏｕｎｄａｒｙ）にあるＵＥの伝送遅延を改善し、制御チャネルのシグナリング伝送を減らすとともに、データ伝送の信頼性と正確性を向上させ、アップリンク伝送のカバー範囲を改善することができる。
【０００７】
現行の仕様によれば、ＴＴＩバンドリング技術は以下の特徴を有する。
（１）ＴＴＩバンドル内の伝送はすべて同じＨＡＲＱ（ハイブリッド自動リピート要求）プロセスによって行われる。
（２）ＴＴＩバンドリングモードは上位層通信プロトコルシグナリング（すなわちＲＲＣ（無線リソース制御）シグナリング）によって切り替えられる。ＴＴＩバンドリングモードの起動時、同じＵＬ  ＳＣＨを利用するアップリンク伝送はすべてＴＴＩバンドリング方式で行われる。
（３）ＴＴＩバンドルごとに１つの伝送リソースとみなされる。言い換えれば、ネットワークはＴＴＩバンドルごとに１つのアップリンクグラント及び１つのＨＡＲＱフィードバック信号（肯定応答信号ＡＣＫまたは否定応答信号ＮＡＣＫ）のみ送信する。
【０００８】
したがって、ＴＴＩバンドルの再送はバンドリング方式で行われる。しかし、ＨＡＲＱプロセスにおいてＴＴＩバンドル内の各回伝送（初回伝送を除く）は、前回伝送のＨＡＲＱフィードバック信号を待たず、ＴＴＩバンドルのサイズ（すなわち各ＴＴＩバンドルに含まれる連続したＴＴＩの数量）に応じて非適応（ｎｏｎ−ａｄａｐｔｉｖｅ）再送方式で発生する。ＰＤＣＣＨ（物理ダウンリンク制御チャネル）により指示された伝送リソースで行わなければならない新規伝送と適応伝送に比べて、非適応再送は前回伝送と同じ伝送リソースを利用して再送を行う。これは当業者に周知のため、ここでは説明を省略する。
【０００９】
注意すべきは、ＴＴＩバンドリングモードのＨＡＲＱラウンドトリップタイムは一般伝送モード（すなわち非ＴＴＩバンドリングモード）の２倍である。言い換えれば、ＴＴＩバンドル内の初回伝送が伝送時間間隔ｋに発生すれば、ＴＴＩバンドルの再送はその次の伝送時間間隔ｋ＋２×ＨＡＲＱ＿ＲＴＴに発生する（ＨＡＲＱ＿ＲＴＴは一般伝送モードでのＨＡＲＱラウンドトリップタイムである）。例えば、現行の仕様によれば、一般伝送モードでのＨＡＲＱラウンドトリップタイムは８ｍｓであり、ＴＴＩバンドリングモードでのＨＡＲＱラウンドトリップタイムは１６ｍｓである。
【００１０】
現行の仕様によれば、ランダムアクセスプロセスにおいてメッセージ３の伝送にＨＡＲＱプロセスが適用される。しかし、ネットワークは、ランダムアクセスプロセス実行中のＵＥにおいてＴＴＩバンドリングモードが起動されたかどうかを判断できないので、メッセージ３の伝送はＴＴＩバンドリングモードを利用できない。したがって、ＴＴＩバンドリングモードでメッセージ３を伝送するとき、ＵＥはメッセージ３をバンドリング方式で伝送しないので、メッセージ３のＨＡＲＱラウンドトリップタイムは一般伝送モードのＨＡＲＱラウンドトリップタイムと同じである。ＵＥは同じＴＴＩにおいてＨＡＲＱプロセスのアップリンク伝送を１回しか実行できないので、メッセージ３の伝送はＵＬ−ＨＡＲＱバッファに本来保存されたＴＢの再送と衝突しうる。
【００１１】
例えば図２を参照する。図２はＴＴＩバンドリングモードの起動時、ＵＥによるメッセージ３の伝送状態を表す説明図である。図２に示すように、現行の仕様によれば、ＴＴＩバンドリングモードの起動時、ＨＡＲＱプロセスの数量は４であり、各ＴＴＩバンドルのサイズは４と固定される。この場合、ＴＴＩバンドリングのＨＡＲＱラウンドトリップタイムＢｕｎｄｌｅ＿ＲＴＴは１６ｍｓである。ＵＥが時点Ａにメッセージ３のアップリンクグラントを受信し、第一ＨＡＲＱプロセス（ｐｒｏｃｅｓｓ  ｉｄ＝１）でメッセージ３の初回伝送を行うとすれば、この第一ＨＡＲＱプロセスが既にＴＴＩバンドルの伝送に指定されていた場合では、メッセージ３の伝送はＴＴＩバンドル内の非適応再送と衝突する。
【００１２】
第一ＨＡＲＱプロセスがＴＴＩバンドルの伝送に指定されず、メッセージ３の初回伝送が時点Ａに完成するとすれば、ＵＥでメッセージ３のＡＣＫ信号を正常に受信できない場合では、一般モードのＨＡＲＱラウンドトリップタイムＨＡＲＱ＿ＲＴＴが経った後、すなわち時点Ｂに、第一ＨＡＲＱプロセスでメッセージ３を再送する。この場合、メッセージ３のＨＡＲＱラウンドトリップタイムはＴＴＩバンドルのＨＡＲＱラウンドトリップタイムと異なるので、メッセージ３の伝送は第三ＨＡＲＱプロセス（ｐｒｏｃｅｓｓ  ｉｄ＝３）によるＴＴＩバンドルの非適応再送と衝突しうる。
【００１３】
実際、ＴＴＩバンドリングモードが起動されていない場合でも、メッセージ３の初回伝送がＵＬ−ＨＡＲＱバッファに前に保存されたＴＢの再送と衝突し、ＵＥを混乱させることもありうる。
【発明の概要】
【発明が解決しようとする課題】
【００１４】
本発明は伝送衝突を回避するために、ＵＬ−ＳＣＨ伝送を処理する方法及び通信装置を提供する。
【課題を解決するための手段】
【００１５】
本発明では、無線通信システムのＵＥ（ユーザー端末）においてＵＬ−ＳＣＨ（アップリンク共用チャネル）伝送を処理する方法を開示する。方法は、ＵＬ−ＳＣＨ伝送を実行する段階と、メッセージ３の伝送と、ＵＥのＵＬ−ＨＡＲＱ（アップリンクハイブリッド自動リピート要求）バッファに本来保存されたＴＢ（トランスポートブロック）の再送が同じ時間に伝送されるようにスケジューリングされた場合に、メッセージ３の伝送を優先させる段階とを含む。
【００１６】
本発明では更に、無線通信システムのＵＥにおいてＵＬ−ＳＣＨ伝送を処理するための通信装置を開示する。通信装置は、プログラムを実行するＣＰＵ（中央処理装置）と、ＣＰＵに結合され、プログラムを記憶する記憶装置とを含む。プログラムは、ＵＬ−ＳＣＨ伝送を実行する段階と、メッセージ３の伝送と、ＵＥのＵＬ−ＨＡＲＱバッファに本来保存されたＴＢの再送が同じ時間に伝送されるようにスケジューリングされた場合に、メッセージ３の伝送を優先させる段階とを含む。
【図面の簡単な説明】
【００１７】
【図１】従来のコンテンションベースのランダムアクセスプロセスを表す説明図である。
【図２】ＴＴＩバンドリングモードの起動時、ＵＥによるメッセージ３の伝送状態を表す説明図である。
【図３】無線通信システムを表す説明図である。
【図４】無線通信装置のブロック図である。
【図５】図３に示すプログラムを表す説明図である。
【図６】本発明の実施例による方法のフローチャートである。
【発明を実施するための形態】
【００１８】
図３を参照する。図３は無線通信システム１０を表す説明図である。無線通信システム１０は望ましくはＬＴＥシステムであって、概してネットワークと複数のＵＥを含む。図３に示すネットワークとＵＥは無線通信システム１０の構造を説明するために用いるに過ぎない。実際、ネットワークは要求に応じて複数の基地局、ＲＮＣ（無線ネットワークコントローラー）を含みうる。ＵＥは携帯電話、コンピュータシステムなどの装置である。
【００１９】
図４を参照する。図４は無線通信装置１００のブロック図である。無線通信装置１００は図３に示すＵＥを実施する。説明を簡素化するため、図４では無線通信装置１００の入力装置１０２、出力装置１０４、制御回路１０６、ＣＰＵ（中央処理装置）１０８、記憶装置１１０、プログラム１１２及びトランシーバー１１４のみ示している。無線通信装置１００において、制御回路１０６はＣＰＵ１０８を用いて記憶装置１１０に記録されたプログラム１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実施する。
【００２０】
図５を参照する。図５は図４に示すプログラム１１２を表す説明図である。プログラム１１２はアプリケーション層２００と、第三層インターフェイス２０２と、第二層インターフェイス２０６を備え、第一層インターフェイス２１８と接続されている。第三層インターフェイス２０２はＲＲＣ（無線リソース制御）層インターフェイスを含み、リソース制御を実施する。第二層インターフェイス２０６はＲＬＣ（無線リンク制御）層インターフェイスとＭＡＣ（媒体アクセス制御）層インターフェイスを含み、リンク制御を実施する。第一層インターフェイス２１８は物理接続を実施する。
【００２１】
ＬＴＥ無線通信システムでは、ＴＴＩバンドリングモードの起動時にＵＥでメッセージ３を伝送する場合、メッセージ３の伝送がバンドリング方式で行われず、ＵＥは同じＴＴＩにおいてＨＡＲＱプロセスのアップリンク伝送を１回しか実行できないので、メッセージ３の伝送はＵＬ−ＨＡＲＱバッファに本来保存されたＴＢの再送と衝突しうる。メッセージ３はランダムアクセスプロセスによりトリガーされるＵＬ−ＳＣＨで伝送され、Ｃ−ＲＮＴＩ−ＭＡＣ−ＣＥまたはＣＣＣＨ−ＳＤＵを含む。これは当業者に周知のため、ここでは説明を省略する。
【００２２】
以上に鑑みて、本発明の実施例では、メッセージ３の伝送がＵＬ−ＨＡＲＱバッファに本来保存されたＴＢの再送と衝突するのを避けるためにプログラム１１２にＵＬ−ＳＣＨ伝送処理プログラム２２０を設ける。図６を参照する。図６は本発明の実施例による方法６０のフローチャートである。下記方法６０は、無線通信システム１０のＵＥにおいてＵＬ−ＳＣＨ伝送を処理するために用いられる。
【００２３】
ステップ６００：開始。
ステップ６０２：ＵＬ−ＳＣＨ伝送を実行する。
ステップ６０４：メッセージ３の伝送と、ＵＥのＵＬ−ＨＡＲＱバッファに保存されたＴＢの再送が同じＴＴＩで伝送されるようにスケジューリングされた場合に、メッセージ３の伝送を優先させる。
ステップ６０６：終了。
【００２４】
以上のように、ＵＥでＵＬ−ＳＣＨ伝送を実行するとき、メッセージ３の伝送とＵＥのＵＬ−ＨＡＲＱバッファに保存されたＴＢの再送が、同じＴＴＩで伝送されるようにスケジューリングされた場合では、メッセージ３の伝送を優先させる。したがって、本発明の実施例は、メッセージ３の伝送とＵＥのＵＬ−ＨＡＲＱバッファに保存されたＴＢの再送との衝突を回避できる。
【００２５】
本発明の実施例によれば、前記メッセージ３はコンテンションベースのランダムアクセスプロセスにより生成され、このコンテンションベースのランダムアクセスプロセスは望ましくは、アップリンクデータの着信によりＵＥでトリガーされる。当業者に周知のように、メッセージ３はＵＥの情報（例えばアップリンク伝送予定量）をネットワークに提供するために伝送されるので、システムスケジューリングに対する影響が比較的に大きい。以上のように、本発明の実施例はシステム効率を向上させるために、ＴＢの再送よりメッセージ３の伝送を優先させる。
【００２６】
例えば、図２を参照する。ＵＥが時点Ａにメッセージ３のアップリンクグラントを受信し、第一ＨＡＲＱプロセス（ｐｒｏｃｅｓｓ  ｉｄ＝１）でメッセージ３の初回伝送を行うとすれば、この第一ＨＡＲＱプロセスが既にＴＴＩバンドルの伝送に指定されていた場合では、メッセージ３の伝送とＴＴＩバンドル内の非適応再送は互いに衝突しうる。この場合、本発明の実施例ではメッセージ３の伝送を優先させることで衝突を回避する。なお、メッセージ３の伝送は第一ＨＡＲＱプロセスの新規伝送とみなすことができるので、本発明の実施例では更に、ＵＬ−ＨＡＲＱバッファに本来保存されたＴＢを、ＵＥのメッセージ３バッファの中のＴＢと取り替えることができる。
【００２７】
第一ＨＡＲＱプロセスにより時点Ａにメッセージ３の初回伝送が完成するとすれば、ＵＥでメッセージ３のＡＣＫ信号を正常に受信できない場合では、一般モードのＨＡＲＱラウンドトリップタイムＨＡＲＱ＿ＲＴＴが経った後、すなわち時点Ｂに、第一ＨＡＲＱプロセスでメッセージ３を再送する。メッセージ３のＨＡＲＱラウンドトリップタイムはＴＴＩバンドルのＨＡＲＱラウンドトリップタイムと異なるので、メッセージ３の伝送は第三ＨＡＲＱプロセス（ｐｒｏｃｅｓｓ  ｉｄ＝３）によるＴＴＩバンドルの非適応再送と衝突しうる。この場合、本発明の実施例ではメッセージ３の伝送を優先させ、第三ＨＡＲＱプロセスのＵＬ−ＨＡＲＱバッファに保存されたＴＢの再送をスキップすることで、衝突を回避する。また、本発明の実施例では第三ＨＡＲＱプロセスのＵＬ−ＨＡＲＱバッファをクリアすることで、ＵＬ−ＨＡＲＱバッファに保存されたＴＢの再送をスキップすることもできる。このような変更も本発明の範囲に属する。
【００２８】
もっとも、本発明の実施例によれば、前記ＴＢの再送には非適応再送に限らず、適応再送を適用してもよい。そうすると、本発明はＴＴＩバンドリングモードが起動されていない場合でも、メッセージ３の初回伝送とＵＬ−ＨＡＲＱバッファに前に保存されたＴＢの再送が互いに衝突するのを回避することができる。
【００２９】
まとめて言えば、本発明の実施例ではＵＬ−ＳＣＨ伝送を処理する方法を提供し、メッセージ３の伝送とＵＬ−ＨＡＲＱバッファに前に保存されたＴＢの再送が互いに衝突するのを避け、システム効率を改善する。
【００３０】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００３１】
１０  無線通信システム
１００  無線通信装置
１０２  入力装置
１０４  出力装置
１０６  制御回路
１０８  ＣＰＵ
１１０  記憶装置
１１２  プログラム
１１４  トランシーバー
２００  アプリケーション層
２０２  第三層インターフェイス
２０６  第二層インターフェイス
２１８  第一層インターフェイス
２２０  ＵＬ−ＳＣＨ伝送処理プログラム
【図１】
2010103991.tif 000003
【図２】
2010103991.tif 000004
【図３】
2010103991.tif 000005
【図４】
2010103991.tif 000006
【図５】
2010103991.tif 000007
【図６】
2010103991.tif 000008